(57)【要約】【課題】本発明は、コストアップを抑制すると共に、一般的な表示パネルにも適用する技術を提供する。【解決手段】画像データ出力部（４）は、第１、第２の系統の画像データにおける１ライン分の画像データを格納する第１、第２のラインバッファ（４１ａ、４１ｂ）と、第１のラインバッファ及び第２のラインバッファから読み出した１ライン分の画像データを、ドライバ部に対して交互に出力するタイミングコントローラ（４２）とを備えている。【選択図】図１
2019109353.tif 000002
【特許請求の範囲】
【請求項１】
第１の系統及び第２の系統を含む複数の系統の画像データが入力され、１つの系統の画像データを出力する画像データ出力部と、
上記１つの系統の画像データが示す画像を表示するよう液晶パネルを駆動するドライバ部とを備え、
上記画像データ出力部は、
上記第１の系統の画像データにおける１ライン分の画像データを格納する第１のラインバッファと、
上記第２の系統の画像データにおける１ライン分の画像データを格納する第２のラインバッファと、
上記第１のラインバッファ及び第２のラインバッファから読み出した１ライン分の画像データを、上記ドライバ部に対して交互に出力するタイミングコントローラと
を備えていることを特徴とする表示制御装置。
【請求項２】
上記画像データ出力部は、出力する画像データが上記第１の系統及び第２の系統の何れの画像データであるのかを示す画像選択信号を更に出力し、
上記ドライバ部は、上記画像データ出力部が出力する画像データと、上記画像選択信号とを参照して上記液晶パネルを駆動する
ことを特徴とする請求項１に記載の表示制御装置。
【請求項３】
上記画像データ出力部は、１ラインの始まりを表す水平同期信号及び１枚の画像の始まりを表す垂直同期信号を更に出力する
ことを特徴とする請求項１または２に記載の表示制御装置。
【請求項４】
上記ドライバ部は、第１のシフトレジスタ及び第２のシフトレジスタを有するゲートドライバであって、該第１のシフトレジスタ及び第２のシフトレジスタを１ラインごとに交互に動作させるゲートドライバを備え、
上記第１のシフトレジスタ及び第２のシフトレジスタは、上記垂直同期信号を受け取ってからの上記水平同期信号の数を参照して、更新ラインを判断する
ことを特徴とする請求項３に記載の表示制御装置。
【請求項５】
上記タイミングコントローラは、上記第１の系統及び第２の系統を含む複数の系統の画像データに対するカウンタを有し、
上記カウンタは、上記垂直同期信号を受け取ると初期化し、上記ラインバッファからの読出し要求を受け取る度に１ずつ値を加算し、上記水平同期信号と上記カウンタの値を制御信号として上記ドライバ部に出力する
ことを特徴とする請求項３に記載の表示制御装置。
【請求項６】
上記カウンタは、該カウンタの値に、上記液晶パネルにおける第１の領域に含まれる水平ライン数を加算した値を上記ドライバ部に出力し、
上記ドライバ部は、上記液晶パネルにおける上記第１の領域よりも処理順で下流の領域である第２の領域に上記画像データを表示させる
ことを特徴とする請求項５に記載の表示制御装置。
【請求項７】
上記画像データ出力部は、上記画像データと表示パネルのサイズの不一致によって画素データが無い領域に特定の画素データを挿入するための画素挿入回路を有し、
上記タイミングコントローラは、上記第１のラインバッファ及び第２のラインバッファが破綻するまでの時間をそれぞれ算出する
ことを特徴とする請求項１〜６の何れか１項に記載の表示制御装置。
【請求項８】
上記画像データ出力部は、上記画像データの内、拡大または縮小するライン数分の上記画像データを、指定された倍率で拡大または縮小する拡大縮小回路を備える
ことを特徴とする請求項１〜７の何れか１項に記載の表示制御装置。
【請求項９】
請求項１〜８の何れか１項に記載の表示制御装置を備える
ことを特徴とする液晶表示装置。
【発明の詳細な説明】
【技術分野】
【０００１】
本発明は、表示制御装置および該表示制御装置を備えた液晶表示装置に関する。
【背景技術】
【０００２】
従来、ガラス基板上に形成された薄膜トランジスタで、マトリックス状に配列された画素電極をスイッチングすることで、液晶を駆動して表示させるアクティブマトリックス（ＡＭ）方式の液晶表示装置が実用化されている。
【０００３】
また、画像表示装置の一例として、特許文献１には複数の画像を同時に表示する場合に周辺回路の複雑さを解消し、特殊な変換回路やメモリが不要な液晶表示装置が開示されている。
【先行技術文献】
【特許文献】
【０００４】
【特許文献１】特開２０００−１８７４７０号公報（２０００年７月４日公開）
【発明の概要】
【発明が解決しようとする課題】
【０００５】
但し、特許文献１に開示された液晶表示装置では下記の問題があった。つまり、２系統の画像データを１枚の表示パネルに出力する場合、端子数や伝送路の増加に伴うコストアップを招来すると共に、ソースドライバ、及びゲートドライバそれぞれ１系統で表示する一般的な表示パネルを使用できないことである。
【課題を解決するための手段】
【０００６】
上記課題を解決するために、本発明の一態様に係る表示制御装置は、第１の系統及び第２の系統を含む複数の系統の画像データが入力され、１つの系統の画像データを出力する画像データ出力部と、上記１つの系統の画像データが示す画像を表示するよう液晶パネルを駆動するドライバ部とを備え、上記画像データ出力部は、上記第１の系統の画像データにおける１ライン分の画像データを格納する第１のラインバッファと、上記第２の系統の画像データにおける１ライン分の画像データを格納する第２のラインバッファと、上記第１のラインバッファ及び第２のラインバッファから読み出した１ライン分の画像データを、上記ドライバ部に対して交互に出力するタイミングコントローラとを備えている。
【０００７】
上記課題を解決するために、本発明の一態様に係る液晶表示装置は、上記表示制御装置および液晶パネルを備える。
【発明の効果】
【０００８】
本発明の一態様によれば、コストアップを抑制すると共に、一般的な表示パネルにも適用することができる。
【図面の簡単な説明】
【０００９】
【図１】第１実施形態に係る液晶表示装置の構成例を示す図である。
【図２】第１実施形態に係る表示制御装置のタイミングチャートを示す図である。
【図３】第２実施形態に係る液晶表示装置の構成例を示す図である。
【図４】第２実施形態に係る液晶表示装置の表示例を示す図である。
【図５】第３実施形態に係る液晶表示装置の構成例を示す図である。
【図６】第３実施形態に係る液晶表示装置の表示例を示す図である。
【図７】比較例に係る液晶表示装置の構成例を示す図である。
【発明を実施するための形態】
【００１０】
本発明の実施形態について、以下、図面を参照して説明する。
【００１１】
〔第１の実施形態〕
以下、図１〜図２、図７を参照して第１の実施形態を説明する。
【００１２】
（液晶表示装置の構成例）
図１は、本実施形態に係る液晶表示装置１の構成例を示す図である。
【００１３】
図１に示すように、液晶表示装置１は表示制御装置２と、液晶パネル３とを備えている。
【００１４】
また、表示制御装置２は、画像データ出力部４と、ドライバ部５とを備えている。
【００１５】
画像データ出力部４は、第１の系統及び第２の系統を含む複数の系統の画像データが入力され、１つの系統の画像データを出力する。ここでいう第１の系統及び第２の系統は、例えばそれぞれデジタル信号である。また、ドライバ部５は、画像データ出力部４が出力する上記１つの系統の画像データが示す画像を表示するよう液晶パネル３を駆動する。一例として、ドライバ部５は１つのソースドライバ５１と、例えば更新ラインを示す２つのシフトレジスタ（第１のシフトレジスタおよび５２０ａおよび第２のシフトレジスタ５２０ｂ）を有するゲートドライバ５２とを備える。
【００１６】
＜画像データ出力部の構成例＞
画像データ出力部４は、第１のラインバッファ４１ａと、第２のラインバッファ４１ｂと、タイミングコントローラ４２とを備えている。第１のラインバッファ４１ａは、上記第１の系統の画像データ（第１の画像データ）における１ライン分の画像データを格納する。第２のラインバッファ４１ｂは、上記第２の系統の画像データ（第２の画像データ）における１ライン分の画像データを格納する。タイミングコントローラ４２は、上記第１のラインバッファ４１ａ及び第２のラインバッファ４１ｂから読み出した１ライン分の画像データを、ドライバ部５に対して交互に出力する。
【００１７】
また、画像データ出力部４が、第１のラインバッファ４１ａ及び第２のラインバッファ４１ｂに画像データを格納する際に、画像データとドットクロックのほかに、１枚の画像の始まりを表す信号である垂直同期信号（ＶＳＹＮＣ）と、１ラインの始まりを表す信号である水平同期信号（ＨＳＹＮＣ）とを参照する。このようなダブルバッファ構造を有する画像データ出力部４では、水平同期信号を受け取った後に送られてくる画像データを、ドットクロックの立ち上がり、もしくは立下りに応じてラインバッファ４１に格納する。
【００１８】
なお、以下の説明では、第１のラインバッファと、第２のラインバッファとを特に区別しない場合ラインバッファ４１と総称する場合がある。
【００１９】
また、図１に示すように、第１のラインバッファ４１ａ、第２のラインバッファ４１ｂ、およびタイミングコントローラ４２から多重化回路が形成されている。この多重化回路を用いて、例えば２系統の画像データを１系統の画像出力に変換し制御信号とともに下記のソースドライバ５１に転送する。
【００２０】
ラインバッファに格納された画像データは、１ライン分の画像データを格納した時点において、多重化回路内に設けられたタイミングコントローラ４２に対して、画像データの読出しを要求する。このときに、垂直同期信号を受け取った直後のライン（１ライン目）であれば、垂直同期信号の情報も合わせてタイミングコントローラ４２に伝える。
【００２１】
タイミングコントローラ４２は、ラインバッファ４１から読出し要求を受け取ると、他方の画像データや１ライン前の画像データの転送が終わっている場合において、ラインバッファ４１から画像データを読出し、ソースドライバ５１に転送を行う。この際に、画像データ転送の前に、どちらの画像かを表す制御信号（以下、画像選択信号と記す）を、データ信号線を介してソースドライバ５１に出力する。また、その際、タイミングコントローラ４２は、１ライン目であれば垂直同期信号と水平同期信号を、２ライン目以降であれば水平同期信号をソースドライバ５１に出力する。
【００２２】
＜ドライバ部の構成例＞
図１に示すように、一例として、ドライバ部５は１つのソースドライバ５１と、例えば更新ラインを示す２つのシフトレジスタ（第１のシフトレジスタおよび５２０ａおよび第２のシフトレジスタ５２０ｂ）を有するゲートドライバ５２とを備える。
【００２３】
ソースドライバ５１は、タイミングコントローラ４２から受け取った画像データをメモリ、もしくはレジスタ（例えば第１、第２のシフトレジスタ５２０ａ、５２０ｂ）に格納していき、１ライン分のデータが揃った後、ソース信号を切り替える。また、ソースドライバ５１は受け取った制御信号のうち、画像選択信号と垂直同期信号、水平同期信号をゲートドライバ５２に出力する。
【００２４】
ゲートドライバ５２は、ソースドライバ５１からの制御信号に基づいてシフトレジスタ（第１のシフトレジスタと、第２のシフトレジスタとを特に区別しない場合シフトレジスタ５２０と総称する場合がある）の初期化、シフト動作、ゲート信号の切替などを行う。ドライバ部５は、シフトレジスタ５２０を２つ備えているゲートドライバ５２であって、画像データの１ラインごとに、２つのシフトレジスタ５２０を交互に動作させ、ゲート信号の制御に使用されるよう制御を行う。具体的には、ゲートドライバ５２は垂直同期信号を受け取った際、画像選択信号によって選択されているシフトレジスタ５２０の初期化を行う。初期化とは、出力される画像データの１ライン目に相当するレジスタの値を１に、それ以外を０にする処理である。２ライン目以降の場合であり、垂直同期信号を受けとらず、水平同期信号だけを受け取る場合は、画像選択信号によって選択されているシフトレジスタ５２０を１ビットシフトする。また、シフトレジスタ５２０は、垂直同期信号を受け取ってからの水平同期信号の数を参照して、更新ラインを判断する。
【００２５】
図２は、Ｌ本の水平ラインを有する液晶パネル３を、Ｌ／２番目までのラインに画像１を表示し、Ｌ／２＋１番目以降のラインに画像２を表示するよう駆動する駆動処理における表示制御装置２のタイミングチャートの一例を示す図である。
【００２６】
図２においては、（ａ）は画像データ出力部４が出力する画像出力を示し、（ｂ）は第１のシフトレジスタ５２０ａを示し、（ｃ）は第２のシフトレジスタ５２０ｂを示し、（ｄ）は第１の更新ラインを示している。また、図２の（ｂ）、図２の（ｃ）における値は、対応するシフトレジスタにおいて、値が１になっているビットを表している。例えば、図２の（ｂ）において、「ｎ」と示された時間的区間は、この区間において、第１のシフトレジスタ５２０ａのｎ番目のビットが１になっていることを示している。また、図２の（ｄ）においては、Ｌは、上述のように液晶パネル３の総水平ライン数を指す。また、図２の下部の矢印の示すように、時間の流れは左から右へ向かう。
【００２７】
図２に示すように、画像データ出力部４から交互に出力された画像１及び画像２の各ラインは、第１のシフトレジスタ５２０ａ及び第２のシフトレジスタ５２０ｂにそれぞれ格納され、対応するシフトレジスタにおいて「１」を示すビットによって指定される更新ラインが更新される。
【００２８】
（比較例の構成例）
図７は、比較例に係る液晶表示装置１０の構成例を示す図である。図７に示すように、比較例に係る液晶表示装置１０は表示制御装置２０と液晶パネル３０とを備え、表示制御装置２０は画像データ出力部４０とドライバ部５０とを備えている。画像データ出力部４０から出力された画像データ１、２がそれぞれソースドライバ１、ソースドライバ２に入力される。２つのソースドライバ５１０が画像データとゲートドライバ制御信号とをゲートドライバ５２０に出力する。
【００２９】
比較例の構成と比較すると、本実施形態のドライバ部５は、ソースドライバを一つのみ備えるため、ドライバ部５の端子数の削減、画像データの伝送路の削減によるコストアップを抑制することができる。また本実施形態によれば一般的な表示パネルが使用することができる。
【００３０】
〔第２の実施形態〕
以下、特に図示しないが図１を参照しながら本実施形態について説明する。本実施形態と上記実施形態１の相違点はタイミングコントローラにカウンタを備える点と、ゲートドライバにシフトレジスタを設けない点である。以下その相違点を重点的に説明する。
【００３１】
タイミングコントローラ４２が画像データを読み込む際に、上記第１の系統及び第２の系統を含む複数の系統の画像データに対してそれぞれカウンタを有する。このカウンタは垂直同期信号を受け取ると初期化し、ラインバッファ４１からの読出し要求を受け取る度に１ずつカウントアップする。画像データを送る前に、水平同期信号とカウンタ値を制御信号としてドライバ部５に出力する。
【００３２】
具体的には、上記カウンタは、該カウンタの値に、液晶パネル３における第１の領域に含まれる水平ライン数を加算した値をドライバ部５に出力し、ドライバ部５は、液晶パネル３における上記第１の領域よりも処理順で下流の領域である第２の領域に上記画像データを表示させる。ここで、例えば、液晶パネル３を駆動する処理の処理順が液晶パネル３の上部から下部の順である場合、上記第１の領域及び第２の領域は、「上画面」及び「下画面」と呼んでもよい。
【００３３】
この結果、ゲートドライバ５２は、タイミングコントローラ４２内のカウンタの値によって、更新するラインを判断する。そのため、シフトレジスタを用いることなく、ライン数分のレジスタのみで、受け取ったライン情報に対応したラインの更新を行うようにゲート信号を制御する。
【００３４】
本変形例によっても上記実施形態１と同じ効果を奏することができる。
【００３５】
〔第３の実施形態〕
以下、図３〜図４を参照して第２の実施形態を説明する。また、第１〜２の実施形態と同様の構成について同じ符号を付してその説明を省略する。以下その相違点を重点的に説明する。
【００３６】
図３は、第２実施形態に係る液晶表示装置１ａの構成例を示す図である。図３に示すように、本実施形態と第１の実施形態との相違点は表示制御装置２ａにおける多重化回路に画素挿入回路４３を備えた点である。そのため、本実施形態は２つの入力画像の画素数が異なる場合に特に有利である。
【００３７】
具体的には、表示制御装置２ａにおける多重化回路に第１の画素挿入回路４３ａ及び第２の画素挿入回路４３ｂを設け、第１、第２の画像データを各々多重化回路内のラインバッファ４１に格納した後、画素挿入回路４３において、画像データと液晶パネルのサイズの不一致によって、画素データが無い領域に特定の画素データを挿入する。挿入する画素データは黒などの固定値、もしくは別途メモリに格納しておく。
【００３８】
タイミングコントローラ４２に画像データが無いラインのデータを安全に転送可能な時間を把握し、その期間にあらかじめ決めておいた画像データを順番に転送していく機能を追加する。ここで、タイミングコントローラ４２が、安全にデータ転送が可能か判定するためには、ラインバッファ４１に格納されているデータ数や画像の転送速度、各画像のサイズ、ＶブランクおよびＨブランク期間の情報を参照することが好ましい。これらの情報を基に、タイミングコントローラ４２は、ダブルバッファ構造のラインバッファ４１が破綻するまでの時間をそれぞれ算出し、１ライン分のデータを割り込んで送っても、各ラインバッファが破綻しないのであれば可能と判断する。ラインバッファの破綻の基準は、例えば、ラインバッファ４１に２ライン分のデータが格納されている状態で次のラインのデータが送られてくる状態を破綻とする。タイミングコントローラ４２が安全なデータ転送が可能と判断すると、タイミングコントローラ４２もしくは画素挿入回路４３において任意の１ライン分のデータを生成し、画像データのライン情報や水平同期信号等の制御信号と共にソースドライバ５１に出力する。
【００３９】
図４は、第２実施形態に係る液晶表示装置の表示例を示す図である。
【００４０】
上記構成によれば、図４に示すように、上記実施形態と同じ効果を奏することができるとともに、画像と液晶パネルの表示部のドット数やライン数の不一致の解消が可能になり、さまざまなサイズの液晶パネルの使用が可能になる。また、２つの入力画像の画素数が異なる場合でも表示が可能になる。また、画像１、２の表示位置の変更が可能になる。
【００４１】
なお、本実施形態におけるタイミングコントローラ４２及びドライバ部５としては、実施形態１において説明した構成を採用してもよいし、実施形態２において説明した構成を採用してもよい。
【００４２】
〔第４の実施形態〕
以下、図５〜図６を参照して第３の実施形態を説明する。また、第１〜３の実施形態と同様の構成について同じ符号を付してその説明を省略する。以下その相違点を重点的に説明する。
【００４３】
図５は、第３実施形態に係る液晶表示装置１ｂの構成例を示す図である。図５に示すように、本実施形態と第２の実施形態との相違点は表示制御装置２ｂにおける多重化回路に拡大縮小回路４４を備えた点である。そのため、本実施形態は２つの入力画像のサイズの比率が可変な場合に特に有利である。
【００４４】
具体的には、表示制御装置２ｂにおける多重化回路に拡大縮小回路４４を備え、２系統の画像データを各々多重化回路内のラインバッファ４１に格納した後、画像データがラインバッファ４１に拡大縮小に必要なライン数データが格納したのち、指定された倍率で拡大又は縮小する。
【００４５】
図６は、第３実施形態に係る液晶表示装置１ｂの表示例を示す図である。
【００４６】
上記構成によれば、図６に示すように、上記実施形態と同じ効果を奏することができるとともに、画像サイズの比率が可変になることで、液晶パネル３の表示部を有効に利用できる。また、入力画像の縮小が可能になることで、少ない画素数の液晶パネルの使用が可能になる。
【００４７】
なお、本実施形態におけるタイミングコントローラ４２及びドライバ部５としては、実施形態１において説明した構成を採用してもよいし、実施形態２において説明した構成を採用してもよい。
【００４８】
〔まとめ〕
本発明の態様１に係る表示制御装置２、２ａ、２ｂは、第１の系統及び第２の系統を含む複数の系統の画像データが入力され、１つの系統の画像データを出力する画像データ出力部４、４ａ、４ｂと、上記１つの系統の画像データが示す画像を表示するよう液晶パネル３を駆動するドライバ部５とを備え、上記画像データ出力部４、４ａ、４ｂは、上記第１の系統の画像データにおける１ライン分の画像データを格納する第１のラインバッファ４１ａと、上記第２の系統の画像データにおける１ライン分の画像データを格納する第２のラインバッファ４１ｂと、上記第１のラインバッファ４１ａ及び第２のラインバッファ４１ｂから読み出した１ライン分の画像データを、ドライバ部５に対して交互に出力するタイミングコントローラ４２とを備えている。
【００４９】
上記態様によれば、コストアップを抑制すると共に、一般的な表示パネルにも適用することができる表示制御装置を提供することができる。
【００５０】
本発明の態様２に係る表示制御装置２、２ａ、２ｂは、上記の態様１に記載の表示制御装置２、２ａ、２ｂであって、画像データ出力部４、４ａ、４ｂは、出力する画像データが上記第１の系統及び第２の系統の何れの画像データであるのかを示す画像選択信号を更に出力し、ドライバ部５は、画像データ出力部４、４ａ、４ｂが出力する画像データと、上記画像選択信号とを参照して液晶パネル３を駆動してもよい。
【００５１】
上記態様によれば、画像選択信号を参照してシフトレジスタを適切に選択することができる。
【００５２】
本発明の態様３に係る表示制御装置２、２ａ、２ｂは、上記の態様１または２に記載の表示制御装置２、２ａ、２ｂであって、画像データ出力部４、４ａ、４ｂは、１ラインの始まりを表す水平同期信号ＨＳＹＮＣ及び１枚の画像の始まりを表す垂直同期信号ＶＳＹＮＣを更に出力してもよい。
【００５３】
上記態様によれば、処理するシフトレジスタをより適切に確定することができる。
【００５４】
本発明の態様４に係る表示制御装置２、２ａ、２ｂは、上記の態様３に記載の表示制御装置２、２ａ、２ｂであって、第１のシフトレジスタ５２０ａ及び第２のシフトレジスタ５２０ｂを有し、該第１のシフトレジスタ５２０ａ及び第２のシフトレジスタ５２０ｂを１ラインごとに交互に動作させるゲートドライバ５２を備え、第１のシフトレジスタ５２０ａ及び第２のシフトレジスタ５２０ｂは、垂直同期信号ＶＳＹＮＣを受け取ってからの水平同期信号ＨＳＹＮＣの数で更新するラインを判断してもよい。
【００５５】
上記態様によれば、処理するラインを適切に確定することができる。
【００５６】
本発明の態様５に係る表示制御装置２、２ａ、２ｂは、は、上記の態様３または４に記載の表示制御装置２、２ａ、２ｂであって、タイミングコントローラ４２は、上記第１の系統及び第２の系統を含む複数の系統の画像データに対するカウンタを有し、上記カウンタは、垂直同期信号ＶＳＹＮＣを受け取ると初期化し、ラインバッファ４１からの読出し要求を受け取る度に１ずつ値を加算し、水平同期信号ＨＳＹＮＣと上記カウンタの値を制御信号として出力してもよい。
【００５７】
上記態様によれば、処理するラインをより適切に確定することができる。
【００５８】
本発明の態様６に係る表示制御装置２、２ａ、２ｂは、は、上記の態様５に記載の表示制御装置２、２ａ、２ｂであって、上記カウンタは、該カウンタの値に、液晶パネル３の上画面の総ライン数を加算した値を出力し、上記画像データを液晶パネル３の下画面に出力してもよい。
【００５９】
上記態様によれば、処理するラインをより確実に確定することができる。
【００６０】
本発明の態様７に係る表示制御装置２ａ、２ｂは、上記の態様１〜６の何れか1態様に記載の表示制御装置２ａ、２ｂであって、画像データ出力部４ａ、４ｂは、上記画像データと液晶パネル３のサイズの不一致によって画素データが無い領域に特定の画素データを挿入するための画素挿入回路４３を有し、タイミングコントローラ４２は、第１のラインバッファ４１ａ及び第２のラインバッファ４１ｂが破綻するまでの時間をそれぞれ算出してもよい。
【００６１】
上記態様によれば、画像データの転送を安全に行うことができる。
【００６２】
本発明の態様８に係る表示制御装置２ｂは、上記の態様１〜７の何れか1態様に記載の表示制御装置２ｂであって、画像データ出力部４ｂは、上記画像データの内、拡大または縮小するライン数分の上記画像データを、指定された倍率で拡大または縮小する拡大縮小回路４４を備えてもよい。
【００６３】
上記態様によれば、一般的な表示パネルを適用することができる。
【００６４】
本発明の態様９に係る液晶表示装置１、１ａ、１ｂは、態様１〜８の何れか１態様に記載の表示制御装置２、２ａ、２ｂを備える。
【００６５】
上記態様によれば、態様１と同じ効果を奏することができる。
【００６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６７】
１、１ａ、１ｂ、１０  液晶表示装置
２、２ａ、２ｂ、２０  表示制御装置
３、３０  液晶パネル
４、４ａ、４ｂ、４０  画像データ出力部
４１  ラインバッファ
４２  タイミングコントローラ
４３  画素挿入回路
４４  拡大縮小回路
５、５０  ドライバ部
５１、５１０  ソースドライバ
５２、５２０  ゲートドライバ
【図１】
2019109353.tif 000003
【図２】
2019109353.tif 000004
【図３】
2019109353.tif 000005
【図４】
2019109353.tif 000006
【図５】
2019109353.tif 000007
【図６】
2019109353.tif 000008
【図７】
2019109353.tif 000009